(57)【要約】【課題】参列者に対して訃報情報を簡便に配信可能な訃報情報配信システムを提供する。【解決手段】葬儀社端末１は、訃報情報を入力する入力手段１と、入力された訃報情報をサーバー１０に送信する送信手段１と、を備えるとともに、サーバー１０は、入力された訃報情報をウェブページで閲覧可能にするアップロード手段１０と、ウェブページに共有ボタンＫを表示する共有ボタン表示手段１０と、ＵＲＬ及びその二次元コードＱを表示する電子書類を作成する電子書類作成手段１０と、電子書類を葬儀社端末１に送信する返信手段１０と、を備え、紙に出力させる出力制御手段１と、二次元コードＱから第一携帯端末２でウェブページにアクセスされるとともに第一携帯端末２において共有ボタンＫが押下され、さらに共有先として第二携帯端末３が選択されることで、第二携帯端末３と共有可能な共有手段２，１０をさらに備える。【選択図】図２
2019133619.tif 000002
【特許請求の範囲】
【請求項１】
葬儀社端末と、運営者のサーバーと、喪家の第一携帯端末と、参列者の第二携帯端末と、がインターネットを介して接続された訃報情報配信システムであって、
前記葬儀社端末は、
故人名や式の内容等である訃報情報を入力する入力手段と、
前記入力された訃報情報を前記サーバーに送信する送信手段と、を備えるとともに、
前記サーバーは、
前記入力された訃報情報をウェブページで閲覧可能にするアップロード手段と、
前記ウェブページに、そのＵＲＬを他の端末と共有可能な共有ボタンを表示する共有ボタン表示手段と、
前記ＵＲＬ、又は前記ＵＲＬを二次元コード化したその二次元コードのうち少なくともいずれか一方を表示する電子書類を作成する電子書類作成手段と、
前記電子書類を前記葬儀社端末に送信する返信手段と、を備え、
プリンターを介して前記電子書類を紙に出力させる出力制御手段と、
前記紙に記載された前記ＵＲＬ又は前記二次元コードから前記第一携帯端末で前記ウェブページにアクセスされるとともに前記第一携帯端末で表示した前記ウェブページにおいて前記共有ボタンが押下され、さらに共有先として前記第二携帯端末が選択されることで、前記ウェブページのＵＲＬを前記第二携帯端末と共有可能な共有手段をさらに備えることを特徴とする訃報情報配信システム。
【請求項２】
葬儀社端末と、運営者のサーバーと、喪家の第一携帯端末と、参列者の第二携帯端末と、がインターネットを介して接続された訃報情報配信システムであって、
前記葬儀社端末は、
故人名や式の内容等である訃報情報を入力する入力手段と、
前記入力された訃報情報を前記サーバーに送信する送信手段と、を備えるとともに、
前記サーバーは、
前記入力された訃報情報をウェブページで閲覧可能にするアップロード手段と、
前記ウェブページに、そのＵＲＬを他の端末と共有可能な共有ボタンを表示する共有ボタン表示手段と、
前記ＵＲＬ、又は前記ＵＲＬを二次元コード化したその二次元コードのうち少なくともいずれか一方を表示する電子書類を作成する電子書類作成手段と、
前記電子書類を前記葬儀社端末に送信する返信手段と、を備え、
前記電子書類に表示された前記ＵＲＬ又は前記二次元コードから前記第一携帯端末で前記ウェブページにアクセスされるとともに前記第一携帯端末で表示した前記ウェブページにおいて前記共有ボタンが押下され、さらに共有先として前記第二携帯端末が選択されることで、前記ウェブページのＵＲＬを前記第二携帯端末と共有可能な共有手段をさらに備えることを特徴とする訃報情報配信システム。
【請求項３】
前記共有ボタンとして、コミュニケーションアプリやｅメール等の送信媒体の選択肢を複数備えることを特徴とする請求項１又は２に記載の訃報情報送信システム。
【請求項４】
前記第二携帯端末から前記ウェブページにアクセスしたとき、前記第二携帯端末で表示した前記ウェブページにおいて前記共有ボタンを非表示にする非表示手段をさらに備えることを特徴とする請求項１乃至３のうちいずれか一つに記載の訃報情報送信システム。
【請求項５】
前記第二携帯端末から前記ウェブページにアクセスしたとき、前記第二携帯端末で表示した前記ウェブページにおいて供物又は供花を注文可能にする注文受付手段をさらに備えることを特徴とする請求項１乃至４のうちいずれか一つに記載の訃報情報送信システム。
【請求項６】
前記第二携帯端末から前記ウェブページにアクセスしたとき、前記第二携帯端末で表示した前記ウェブページにおいて弔電を申込可能にする弔電受付手段をさらに備えることを特徴とする請求項１乃至５のうちいずれか一つに記載の訃報情報配信システム。
【請求項７】
前記弔電として、定型文から選択可能又は任意の文章を入力可能としたことを特徴とする請求項６に記載の訃報情報配信システム。
【請求項８】
前記申し込まれた弔電の内容である弔電データを前記葬儀社端末に送信する弔電送信手段をさらに備えることを特徴とする請求項６又は７に記載の訃報情報配信システム。
【請求項９】
前記第二携帯端末から前記ウェブページにアクセスしたとき、その第二携帯端末を保有する参列者の参列者情報を要求し、前記参列者情報が入力されると前記参列者情報を二次元コード化したその参列者情報用二次元コードを前記第二携帯端末に表示させる事前受付手段をさらに備えることを特徴とする請求項１乃至８のうちいずれか一つに記載の訃報情報送信システム。
【請求項１０】
前記葬儀社端末は、葬儀会場受付にて、参列者からかざされた前記第二携帯端末に表示された参列者情報用二次元コードから前記参列者情報を読み取る参列者情報読取手段をさらに備えることを特徴とする請求項９に記載の訃報情報送信システム。
【発明の詳細な説明】
【技術分野】
【０００１】
本発明は、訃報情報を参列者に対して配信する訃報情報配信システムに関するものである。
【背景技術】
【０００２】
通常、葬儀は事前準備をするものではなく、死去が確認されてから遺族が慌てて葬儀の準備することがほとんどである。
遺族は故人を看取るまでに既に看護や介護等で疲弊していることが多く、その状態で死去後の様々な手続を行わなければならない。
【０００３】
そこで、喪家の負担が少しでも軽減される、葬儀の支援システムが開示されている（例えば、特許文献１参照）。
【０００４】
この発明では、喪家がデータベースに参列者の情報を入力し、訃報情報を入力することで、訃報情報が参列者の端末に配信される。
【先行技術文献】
【特許文献】
【０００５】
【特許文献１】特開２０１６−１６２３００号公報
【発明の概要】
【発明が解決しようとする課題】
【０００６】
しかしながら、喪家の負担軽減のためのシステムにもかかわらず、参列者のデータベースを作成するには非常に手間が掛かるといった問題がある。
【０００７】
そこで、本発明の目的とするところは、参列者に対して訃報情報を簡便に配信可能な訃報情報配信システムを提供することにある。
【課題を解決するための手段】
【０００８】
上記の目的を達成するために、本発明の請求項１に記載の訃報情報配信システムは、葬儀社端末（１）と、運営者のサーバー（１０）と、喪家の第一携帯端末（２）と、参列者の第二携帯端末（３）と、がインターネット（１００）を介して接続された訃報情報配信システムであって、前記葬儀社端末（１）は、故人名や式の内容等である訃報情報を入力する入力手段（１）と、前記入力された訃報情報を前記サーバー（１０）に送信する送信手段（１）と、を備えるとともに、前記サーバー（１０）は、前記入力された訃報情報をウェブページで閲覧可能にするアップロード手段（１０）と、前記ウェブページに、そのＵＲＬを他の端末と共有可能な共有ボタン（Ｋ）を表示する共有ボタン表示手段（１０）と、前記ＵＲＬ、又は前記ＵＲＬを二次元コード化したその二次元コード（Ｑ）のうち少なくともいずれか一方を表示する電子書類を作成する電子書類作成手段（１０）と、前記電子書類を前記葬儀社端末（１）に送信する返信手段（１０）と、を備え、プリンターを介して前記電子書類を紙に出力させる出力制御手段（１）と、前記紙に記載された前記ＵＲＬ又は前記二次元コード（Ｑ）から前記第一携帯端末（２）で前記ウェブページにアクセスされるとともに前記第一携帯端末（２）で表示した前記ウェブページにおいて前記共有ボタン（Ｋ）が押下され、さらに共有先として前記第二携帯端末（３）が選択されることで、前記ウェブページのＵＲＬを前記第二携帯端末（３）と共有可能な共有手段（２，１０）をさらに備えることを特徴とする。
【０００９】
また、請求項２に記載の訃報情報送信システムは、葬儀社端末（１）と、運営者のサーバー（１０）と、喪家の第一携帯端末（２）と、参列者の第二携帯端末（３）と、がインターネット（１００）を介して接続された訃報情報配信システムであって、前記葬儀社端末（１）は、故人名や式の内容等である訃報情報を入力する入力手段（１）と、前記入力された訃報情報を前記サーバー（１０）に送信する送信手段（１）と、を備えるとともに、前記サーバー（１０）は、前記入力された訃報情報をウェブページで閲覧可能にするアップロード手段（１０）と、前記ウェブページに、そのＵＲＬを他の端末と共有可能な共有ボタン（Ｋ）を表示する共有ボタン表示手段（１０）と、前記ＵＲＬ、又は前記ＵＲＬを二次元コード化したその二次元コード（Ｑ）のうち少なくともいずれか一方を表示する電子書類を作成する電子書類作成手段（１０）と、前記電子書類を前記葬儀社端末（１）に送信する返信手段（１０）と、を備え、前記電子書類に表示された前記ＵＲＬ又は前記二次元コード（Ｑ）から前記第一携帯端末（２）で前記ウェブページにアクセスされるとともに前記第一携帯端末（２）で表示した前記ウェブページにおいて前記共有ボタン（Ｋ）が押下され、さらに共有先として前記第二携帯端末（３）が選択されることで、前記ウェブページのＵＲＬを前記第二携帯端末（３）と共有可能な共有手段（２，１０）をさらに備えることを特徴とする。
【００１０】
また、請求項３に記載の訃報情報送信システムは、前記共有ボタン（Ｋ）として、コミュニケーションアプリやｅメール等の送信媒体の選択肢を複数備えることを特徴とする。
【００１１】
また、請求項４に記載の訃報情報送信システムは、前記第二携帯端末（３）から前記ウェブページにアクセスしたとき、前記第二携帯端末（３）で表示した前記ウェブページにおいて前記共有ボタン（Ｋ）を非表示にする非表示手段（１０）をさらに備えることを特徴とする。
【００１２】
また、請求項５に記載の訃報情報送信システムは、前記第二携帯端末（３）から前記ウェブページにアクセスしたとき、前記第二携帯端末（３）で表示した前記ウェブページにおいて供物又は供花を注文可能にする注文受付手段（３，１０）をさらに備えることを特徴とする。
【００１３】
また、請求項６に記載の訃報情報配信システムは、前記第二携帯端末（３）から前記ウェブページにアクセスしたとき、前記第二携帯端末（３）で表示した前記ウェブページにおいて弔電を申込可能にする弔電受付手段（３，１０）をさらに備えることを特徴とする。
【００１４】
また、請求項７に記載の訃報情報配信システムは、前記弔電として、定型文から選択可能又は任意の文章を入力可能としたことを特徴とする。
【００１５】
また、請求項８に記載の訃報情報配信システムは、前記申し込まれた弔電の内容である弔電データを前記葬儀社端末（１）に送信する弔電送信手段（１０）をさらに備えることを特徴とする。
【００１６】
また、請求項９に記載の訃報情報配信システムは、前記第二携帯端末（３）から前記ウェブページにアクセスしたとき、その第二携帯端末（３）を保有する参列者の参列者情報を要求し、前記参列者情報が入力されると前記参列者情報を二次元コード化したその参列者情報用二次元コードを前記第二携帯端末（３）に表示させる事前受付手段（１０）をさらに備えることを特徴とする。
【００１７】
また、請求項１０に記載の訃報情報配信システムは、前記葬儀社端末（１）は、葬儀会場受付にて、参列者からかざされた前記第二携帯端末（３）に表示された参列者情報用二次元コードから前記参列者情報を読み取る参列者情報読取手段をさらに備えることを特徴とする。
【００１８】
ここで、上記括弧内の記号は、図面および後述する発明を実施するための形態に掲載された対応要素または対応事項を示す。
【発明の効果】
【００１９】
本発明の請求項１及び２に記載の訃報情報配信システムによれば、第一携帯端末で表示したウェブページにおいて共有ボタンが押下され、さらに共有先として第二携帯端末が選択されることで、ウェブページのＵＲＬを第二携帯端末と共有可能であるので、参列者の氏名や住所を記したデータベースを作ることなく、参列者に対して簡便に訃報情報を配信することができる。つまり、訃報情報の配信において既に第一携帯端末内（アカウント内を含む）にあるリストを使用するので、配信用のデータベースをわざわざ作る必要がない。
【００２０】
また、近年は個人情報の取扱いに慎重さが求められるが、本発明に係る訃報情報配信システムでは、葬儀社が参列者の個人情報を持たなくて済む。
しかも、請求項１に記載の発明によれば、ＵＲＬ、又はＵＲＬを二次元コード化したその二次元コードのうち少なくともいずれか一方をプリンターを介して紙に出力させるので、その紙を葬儀社から喪家へ確実に手渡しすることで連絡の間違いが生じにくく、プライバシーも守られる。
【００２１】
また、請求項３に記載の訃報情報配信システムによれば、請求項１又は２に記載の発明の作用効果に加え、共有ボタンとして、コミュニケーションアプリやｅメール等の送信媒体の選択肢を複数備えるので、参列者ごとに、その相手に対して最も連絡を取りやすく確実に連絡を取れる送信媒体を選択することができる。
【００２２】
また、請求項４に記載の訃報情報配信システムによれば、請求項１乃至３に記載の発明の作用効果に加え、第二携帯端末からウェブページにアクセスしたとき、第二携帯端末で表示したウェブページにおいて共有ボタンを非表示にするので、喪家が意図しない、参列者による訃報情報の再共有を防止できる。
【００２３】
また、請求項５に記載の訃報情報配信システムによれば、請求項１乃至４に記載の発明の作用効果に加え、第二携帯端末からウェブページにアクセスしたとき、第二携帯端末で表示したウェブページにおいて供物又は供花を注文可能にするので、注文の手間が掛からない。
また、参列者による供物等の注文忘れも無くなるので、供物等の注文が増加し、葬儀社の収益が増加し得る。
また、供物等の代金の支払いをクレジットカード決済にすると、供物等の費用の回収について葬儀社の負担にならない。
【００２４】
また、請求項６に記載の訃報情報配信システムによれば、請求項１乃至５に記載の作用効果に加え、第二携帯端末からウェブページにアクセスしたとき、第二携帯端末で表示したウェブページにおいて弔電を申込可能にする弔電受付手段をさらに備えるので、弔電についても注文の手間が掛からない。
その弔電の選び方として、請求項７に示すように定型文から選択可能としたり、任意の文章を入力可能としてもよい。
【００２５】
また、請求項８に記載の訃報情報配信システムによれば、請求項６又は７に記載の作用効果に加え、申し込まれた弔電の内容である弔電データを葬儀社端末に送信する弔電送信手段をさらに備えるので、弔電の輸送費が掛からず、弔電サービスを安価に提供することができる。
また、葬儀社において弔電を印刷可能となる。
また、弔電データをＵＳＢメモリ等に入れて喪家に渡すことが可能である。これにより、葬儀後に喪家が弔電の保存や処分に困ることがない。
さらに、葬儀場でモニター等に順に表示することができるので、葬儀演出として使用することもできる。
【００２６】
また、請求項９に記載の訃報情報配信システムによれば、請求項１乃至８に記載の作用効果に加え、第二携帯端末からウェブページにアクセスしたとき、その第二携帯端末を保有する参列者の参列者情報を要求し、参列者情報が入力されると参列者情報を二次元コード化したその参列者情報用二次元コードを第二携帯端末に表示させる事前受付手段をさらに備えるので、参列者は選択によって、葬儀会場にいく前段階において受付けを済ますことができる。すなわち、参列者は、第二携帯端末からウェブページにアクセスして、例えば、氏名と住所といった参列者情報を入力すると、その参列者情報は二次元コード化され、参列者の第二携帯端末の画面上に、例えばＱＲコード（登録商標）などによって参列者情報用二次元コードが表示される。
よって、参列者は、葬儀会場受付にて第二携帯端末をかざして表示された参列者情報用二次元コードを提示するだけで、参列者情報が読み取られ葬儀社側に登録するようにすることができるので、参列者は葬儀会場受付にて記帳をする必要がない。
これにより、葬儀会場受付の流れが円滑になる。また記帳する必要がないので特に字の苦手の人にとって朗報である。
【００２７】
また、請求項１０に記載の訃報情報配信システムによれば、請求項９に記載の作用効果に加え、葬儀社端末は、葬儀会場受付にて、参列者からかざされた第二携帯端末に表示された参列者情報用二次元コードから参列者情報を読み取る参列者情報読取手段をさらに備えるので、葬儀社端末において参列者を一元的に管理することができ、参列者のリストも容易かつ瞬時に作成して喪家に手渡すことができる。
【００２８】
このように葬儀社によって新しいサービスを提供可能となるので、葬儀社が新しい収益を得ることができる。
【００２９】
なお、本発明の訃報情報配信システムのように、ウェブページにそのＵＲＬを他の端末と共有可能な共有ボタンを表示する点は、上述した特許文献１には全く記載されていない。
【図面の簡単な説明】
【００３０】
【図１】本発明の実施形態に係る訃報情報配信システムの通信構成を示すブロック図である。
【図２】本発明の実施形態に係る訃報情報送信システムにおける処理を示すフローチャートである。
【図３】本発明の実施形態に係る訃報情報送信システムにおける訃報情報を載せたウェブページの二次元コードを出力した紙を示す図である。
【図４】本発明の実施形態に係る訃報情報送信システムにおける第一携帯端末で訃報情報が載ったウェブページを表示した図である。
【図５】本発明の実施形態に係る訃報情報送信システムにおける第二携帯端末で訃報情報が載ったウェブページを表示した図である。
【図６】本発明の実施形態に係る訃報情報送信システムにおける第二携帯端末で供物の注文が可能なウェブページを表示した図である。
【図７】本発明の実施形態に係る訃報情報送信システムにおける第二携帯端末で訃報情報が載った別のウェブページを表示した図である。
【発明を実施するための形態】
【００３１】
図１乃至図７を参照して、本発明の実施形態に係る訃報情報配信システムを説明する。
この訃報情報配信システムは、葬儀社端末１と、運営者のサーバー１０と、喪家の第一携帯端末２と、参列者の第二携帯端末３と、がインターネット１００を介して接続されている。
【００３２】
葬儀社端末１は、家庭や企業に広く普及している一般的なパソコンである。ウェブブラウザを使用してウェブページにアクセス可能であるとか、文書作成ソフトが動作可能であるという程度の性能を有していればよく、特に高速な処理が求められるものではない。
【００３３】
サーバー１０は、これもまた一般的なパソコンである。
本実施形態に係る訃報情報送信システムに係るプログラムがインストールされており、葬儀社端末１から訃報情報が入力され送信されることをトリガーとして、いくつかの制御がプログラムに沿って自動的に行われる。
【００３４】
第一携帯端末２及び第二携帯端末３は、４Ｇ等のモバイル通信技術を用い、インターネット１００に接続可能なスマートフォンである。
第一携帯端末２は、喪家（喪主とその家族）がそれぞれ所有しているスマートフォンであり、複数存在する。本実施形態では一つの第一携帯端末２について説明する。
また、第二携帯端末３は、喪家が参列してほしいと選択した参列者が所有するスマートフォンである。これについても一つの第二携帯端末３について説明する。
【００３５】
このように構成された訃報情報送信システムにおいて行われる制御について、図２に示すフローチャートを参照して説明する。
まず、葬儀社端末１によって故人名や式の内容等である訃報情報が入力される（ステップＳ１０１（以下、「ステップ」という語を省略する））。
ここでは、故人ごとに、故人名、通夜と葬儀告別式の日時、式場名、その住所・電話番号、喪主、儀式形態（仏式、神式等）の情報等が訃報情報として関連付けられる。
【００３６】
次に、その訃報情報を葬儀社端末１がサーバー１０に送信する（Ｓ１０２）。
次に、訃報情報を受信したサーバー１０は、雛形を用いて訃報情報をその故人用（喪家用）に専用のウェブページを作成し、そのウェブページで閲覧可能になるように訃報情報をアップロードする（Ｓ１０３）。
【００３７】
次に、各ＳＮＳ（Ｓｏｃｉａｌ  Ｎｅｔｗｏｒｋｉｎｇ  Ｓｅｒｖｉｃｅ）用のシェアボタン、メールやＳＭＳ（Ｓｈｏｒｔ  Ｍｅｓｓａｇｅ  Ｓｅｒｖｉｃｅ）のアプリケーションへのショートカットボタン等の、ＵＲＬを他の端末と共有可能な共有ボタンＫをそのウェブページの上部に表示する（Ｓ１０４）。
【００３８】
次に、図３に示すように、ＵＲＬ及びＵＲＬを二次元コードＱ化したその二次元コードＱを表示するＰＤＦファイルを作成する。
そして、サーバー１０はそのＰＤＦファイルを葬儀社端末１に送信する（Ｓ１０５）。
【００３９】
次に、葬儀社端末１は、プリンターを介してそのＰＤＦファイルを紙に出力させる（Ｓ１０６）。
【００４０】
この紙は葬儀社のスタッフから喪家（喪主）へ手渡しされる（図２における破線矢印参照）。
【００４１】
次に、紙に記載された二次元コードＱを喪家の第一携帯端末２で読み取って、専用のウェブページにアクセスする（Ｓ１０７）。第一携帯端末２は一つに限られず、喪家（遺族）のそれぞれが各友人等へ連絡する場合には第一携帯端末２が複数存在することが通常であるが、ここでは一つの第一携帯端末２について記載する。
第一携帯端末２におけるそのウェブページの表示は図４に示した通りである。
ウェブページの上部にはＳＮＳのシェアボタン、メールやＳＭＳのアプリケーションへのショートカットボタン等の共有ボタンＫが表示されている。本実施形態において共有ボタンＫの選択肢としては四つある。
【００４２】
その第一携帯端末２の持ち主のＳＮＳのアカウントに対してＳＮＳにおける友達として紐付けられたアカウント一覧や第一携帯端末２内の電話帳から、訃報情報の共有先として第二携帯端末３に係るアカウントを選択し、専用ウェブページのＵＲＬを第二携帯端末３に送信する（Ｓ１０８）。第二携帯端末３のアカウント選択画面では、複数の第二携帯端末３のアカウントを選択可能であってもよい。
【００４３】
そして、そのＵＲＬを受け取った第二携帯端末３では、図５に示すように専用ウェブページが表示され閲覧可能となる（Ｓ１０９）。
ここで、第二携帯端末３における専用ウェブページの表示では、訃報情報は表示されるが共有ボタンＫは表示されない。
【００４４】
以上のように構成された訃報情報配信システムによれば、第一携帯端末２で表示したウェブページにおいて共有ボタンＫが押下され、さらに共有先として第二携帯端末３が選択されることで、ウェブページのＵＲＬを第二携帯端末３と共有可能であるので、参列者の氏名や住所を記したデータベースを作ることなく、参列者に対して簡便に訃報情報を配信することができる。つまり、訃報情報の配信において既に第一携帯端末２内（アカウント内を含む）にあるリストを使用するので、配信用のデータベースをわざわざ作る必要がない。
【００４５】
また、近年は個人情報の取扱いに慎重さが求められるが、本発明に係る訃報情報配信システムでは、葬儀社が参列者の個人情報を持たなくて済む。
しかも、ＵＲＬ及びＵＲＬを二次元コードＱ化したその二次元コードＱを、プリンターを介して紙に出力させるので、その紙を葬儀社から喪家へ確実に手渡しすることで連絡の間違いが生じにくく、プライバシーも守られる。
【００４６】
しかも、共有ボタンＫとして、コミュニケーションアプリやｅメール等の送信媒体の選択肢を複数備えるので、参列者ごとに、その相手に対して最も連絡を取りやすく確実に連絡を取れる送信媒体を選択することができる。
【００４７】
また、第二携帯端末３からウェブページにアクセスしたとき、第二携帯端末３で表示したウェブページにおいて共有ボタンＫを非表示にするので、喪家が意図しない、参列者による訃報情報の再共有を防止できる。
【００４８】
なお、本実施形態において、共有ボタンＫとして通信媒体の選択肢を複数備えたが、いずれか一つであってもよい。
また、ＵＲＬ及びＵＲＬに係る二次元コードＱをＰＤＦファイルに表示させたが、いずれか一方だけでもよい。
また、このときの電子書類はＰＤＦファイルに限られない。
【００４９】
また、第二携帯端末３でウェブページにアクセスしたとき、第二携帯端末３では共有ボタンＫを非表示としたが、これに限られるものではなく、第二携帯端末３で専用ウェブページにアクセスしたときであっても、共有ボタンＫを表示してもよい。
第二携帯端末３での閲覧においても共有ボタンＫを表示しておくことで、情報の拡散を期待できる。
【００５０】
さらに、図５の下部に示したように、第二携帯端末３で表示したウェブページにおいて、供物や供花を注文可能にしておいてもよい。注文画面は例えば図６のようになる。
【００５１】
また、第二携帯端末３で表示したウェブページにおいて、供物や供花の注文ボタンに加えて又はそれに代えて、弔電の申し込みボタンを備えていてもよい。
この弔電としては、定型文から選択可能であってもよいし、任意の文章を入力可能としてもよい。
【００５２】
そのとき、申し込まれた弔電の内容である弔電データをデータのままサーバー１０から葬儀社端末１に送信する。こうすることで、弔電の輸送費が掛からず、弔電サービスを安価に提供することができる。
また、葬儀社において弔電を印刷可能となる。
また、弔電データをＵＳＢメモリ等に入れて喪家に渡すことが可能である。これにより、葬儀後に喪家が弔電の保存や処分に困ることがない。
さらに、葬儀場でモニター等に順に表示することができるので、葬儀演出として使用することもできる。
このように葬儀社によって新しいサービスを提供可能となるので、葬儀社が新しい収益を得ることができる。
【００５３】
また、各処理のステップは処理内容に矛盾を生じない範囲で任意に順番を変更したり、並列に処理を行ったりできる。
また、一つの機能が二つ以上の物理的構成により実現されてもよいし、二つ以上の機能が一つの物理的構成により実現されてもよい。例えば、サーバー１０は二つ以上に分かれていてもよい。
【００５４】
また、葬儀社端末１からサーバー１０へ訃報情報を送信したと同時に訃報情報のサーバー１０へのアップロードが完了してもよい。つまり、葬儀社端末１がアップロードしてもよい。この場合であっても、訃報情報をウェブページで閲覧可能にしているのはサーバー１０におけるプログラムである。
【００５５】
なお、本実施形態においては、ＵＲＬ及びＵＲＬを二次元コードＱ化したその二次元コードＱを、プリンターを介して紙に出力させてその紙を葬儀社から喪家へ手渡しするようにしたが、紙に出力することなく喪家にデータを送信するようにすることもできる。
【００５６】
さらに、図７の下部に示したように、第二携帯端末３で表示したウェブページにおいて、葬儀の事前受付を行うことができるようにしておいてもよい。
参列者が事前受付のボタンを押すと、参列者情報、ここでは、氏名と住所の記載が要求され、参列者情報が入力されると参列者情報を二次元コード化したその参列者情報用二次元コード、ここではＱＲコード（登録商標）が二携帯端末３に表示される。
【００５７】
そして、その参列者は、葬儀会場受付にて第二携帯端末３をかざして表示された参列者情報用二次元コードを提示すると、葬儀社端末１によって参列者情報が読み取られ葬儀社側に登録されるようになっている。
これによれば、参列者は葬儀会場受付にて記帳をする必要がなく、葬儀会場受付の流れが円滑になる。また記帳する必要がないので特に字の苦手の人にとって朗報である。
【００５８】
また葬儀社端末１は、参列者を一元的に管理することができ、参列者のリストを容易かつ瞬時に作成して喪家に手渡すことができるようにしてなっている。
【００５９】
なお、ここでは葬儀社端末１が、第二携帯端末３から提示された参列者情報用二次元コードを読み取るようにしたが、別の端末によって読み取り、参列者のリストを作成するようにしてもよい。
【符号の説明】
【００６０】
１      葬儀社端末（入力手段、送信手段）
２      第一携帯端末（共有手段）
３      第二携帯端末（注文受付手段、弔電受付手段）
１０      サーバー（アップロード手段、共有ボタン表示手段、電子書類作成手段、返信手段、出力制御手段、共有手段、非表示手段、注文受付手段、弔電受付手段、弔電送信手段）
１００      インターネット
Ｋ      共有ボタン
Ｑ      二次元コード
【図１】
2019133619.tif 000003
【図２】
2019133619.tif 000004
【図３】
2019133619.tif 000005
【図４】
2019133619.tif 000006
【図５】
2019133619.tif 000007
【図６】
2019133619.tif 000008
【図７】
2019133619.tif 000009
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
葬儀社端末と、運営者のサーバーと、喪家の第一携帯端末と、参列者の第二携帯端末と、がインターネットを介して接続された訃報情報配信システムであって、
前記葬儀社端末は、
故人名や式の内容等である訃報情報を入力する入力手段と、
前記入力された訃報情報を前記サーバーに送信する送信手段と、を備えるとともに、
前記サーバーは、
前記入力された訃報情報をウェブページで閲覧可能にするアップロード手段と、
前記ウェブページのＵＲＬ、又は前記ウェブページのＵＲＬを二次元コード化したその二次元コードのうち少なくともいずれか一方を表示する電子書類を作成する電子書類作成手段と、
前記電子書類を前記葬儀社端末に送信する返信手段と、を備え、
前記ウェブページには、前記ＵＲＬを他の端末と共有可能な共有ボタンが表示されるように構成され、
プリンターを介して前記電子書類を紙に出力させる出力制御手段と、
前記紙に記載された前記ＵＲＬ又は前記二次元コードから前記第一携帯端末で前記ウェブページにアクセスされるとともに前記第一携帯端末で表示した前記ウェブページにおいて前記共有ボタンが押下され、さらに共有先として、配信用のデータベースを作ることなく既に前記第一携帯端末内にあるリストを使用して前記第二携帯端末が選択されることで、前記ウェブページのＵＲＬを前記第二携帯端末と共有可能な共有手段をさらに備えることを特徴とする訃報情報配信システム。
【請求項２】
葬儀社端末と、運営者のサーバーと、喪家の第一携帯端末と、参列者の第二携帯端末と、がインターネットを介して接続された訃報情報配信システムであって、
前記葬儀社端末は、
故人名や式の内容等である訃報情報を入力する入力手段と、
前記入力された訃報情報を前記サーバーに送信する送信手段と、を備えるとともに、
前記サーバーは、
前記入力された訃報情報をウェブページで閲覧可能にするアップロード手段と、
前記ウェブページのＵＲＬ、又は前記ウェブページのＵＲＬを二次元コード化したその二次元コードのうち少なくともいずれか一方を表示する電子書類を作成する電子書類作成手段と、
前記電子書類を前記葬儀社端末に送信する返信手段と、を備え、
前記ウェブページには、前記ＵＲＬを他の端末と共有可能な共有ボタンが表示されるように構成され、
前記電子書類に表示された前記ＵＲＬ又は前記二次元コードから前記第一携帯端末で前記ウェブページにアクセスされるとともに前記第一携帯端末で表示した前記ウェブページにおいて前記共有ボタンが押下され、さらに共有先として、配信用のデータベースを作ることなく既に前記第一携帯端末内にあるリストを使用して前記第二携帯端末が選択されることで、前記ウェブページのＵＲＬを前記第二携帯端末と共有可能な共有手段をさらに備えることを特徴とする訃報情報配信システム。
【請求項３】
前記共有ボタンとして、コミュニケーションアプリやｅメール等の送信媒体の選択肢を複数備えることを特徴とする請求項１又は２に記載の訃報情報送信システム。
【請求項４】
前記第二携帯端末から前記ウェブページにアクセスしたとき、前記第二携帯端末で表示した前記ウェブページにおいて前記共有ボタンを非表示にする非表示手段をさらに備えることを特徴とする請求項１乃至３のうちいずれか一つに記載の訃報情報送信システム。
【請求項５】
前記第二携帯端末から前記ウェブページにアクセスしたとき、前記第二携帯端末で表示した前記ウェブページにおいて供物又は供花を注文可能にする注文受付手段をさらに備えることを特徴とする請求項１乃至４のうちいずれか一つに記載の訃報情報送信システム。
【請求項６】
前記第二携帯端末から前記ウェブページにアクセスしたとき、前記第二携帯端末で表示した前記ウェブページにおいて弔電を申込可能にする弔電受付手段をさらに備えることを特徴とする請求項１乃至５のうちいずれか一つに記載の訃報情報配信システム。
【請求項７】
前記弔電として、定型文から選択可能又は任意の文章を入力可能としたことを特徴とする請求項６に記載の訃報情報配信システム。
【請求項８】
前記申し込まれた弔電の内容である弔電データを前記葬儀社端末に送信する弔電送信手段をさらに備えることを特徴とする請求項６又は７に記載の訃報情報配信システム。
【請求項９】
前記第二携帯端末から前記ウェブページにアクセスしたとき、その第二携帯端末を保有する参列者の参列者情報を要求し、前記参列者情報が入力されると前記参列者情報を二次元コード化したその参列者情報用二次元コードを前記第二携帯端末に表示させる事前受付手段をさらに備えることを特徴とする請求項１乃至８のうちいずれか一つに記載の訃報情報送信システム。
【請求項１０】
前記葬儀社端末は、葬儀会場受付にて、参列者からかざされた前記第二携帯端末に表示された参列者情報用二次元コードから前記参列者情報を読み取る参列者情報読取手段をさらに備えることを特徴とする請求項９に記載の訃報情報送信システム。
【手続補正２】
【補正対象書類名】明細書
【補正対象項目名】０００８
【補正方法】変更
【補正の内容】
【０００８】
上記の目的を達成するために、本発明の請求項１に記載の訃報情報配信システムは、葬儀社端末（１）と、運営者のサーバー（１０）と、喪家の第一携帯端末（２）と、参列者の第二携帯端末（３）と、がインターネット（１００）を介して接続された訃報情報配信システムであって、前記葬儀社端末（１）は、故人名や式の内容等である訃報情報を入力する入力手段（１）と、前記入力された訃報情報を前記サーバー（１０）に送信する送信手段（１）と、を備えるとともに、前記サーバー（１０）は、前記入力された訃報情報をウェブページで閲覧可能にするアップロード手段（１０）と、前記ウェブページのＵＲＬ、又は前記ウェブページのＵＲＬを二次元コード化したその二次元コード（Ｑ）のうち少なくともいずれか一方を表示する電子書類を作成する電子書類作成手段（１０）と、前記電子書類を前記葬儀社端末（１）に送信する返信手段（１０）と、を備え、前記ウェブページには、前記ＵＲＬを他の端末と共有可能な共有ボタン（Ｋ）が表示されるように構成され、プリンターを介して前記電子書類を紙に出力させる出力制御手段（１）と、前記紙に記載された前記ＵＲＬ又は前記二次元コード（Ｑ）から前記第一携帯端末（２）で前記ウェブページにアクセスされるとともに前記第一携帯端末（２）で表示した前記ウェブページにおいて前記共有ボタン（Ｋ）が押下され、さらに共有先として、配信用のデータベースを作ることなく既に前記第一携帯端末（２）内にあるリストを使用して前記第二携帯端末（３）が選択されることで、前記ウェブページのＵＲＬを前記第二携帯端末（３）と共有可能な共有手段（２，１０）をさらに備えることを特徴とする。
【手続補正３】
【補正対象書類名】明細書
【補正対象項目名】０００９
【補正方法】変更
【補正の内容】
【０００９】
また、請求項２に記載の訃報情報送信システムは、葬儀社端末（１）と、運営者のサーバー（１０）と、喪家の第一携帯端末（２）と、参列者の第二携帯端末（３）と、がインターネット（１００）を介して接続された訃報情報配信システムであって、前記葬儀社端末（１）は、故人名や式の内容等である訃報情報を入力する入力手段（１）と、前記入力された訃報情報を前記サーバー（１０）に送信する送信手段（１）と、を備えるとともに、前記サーバー（１０）は、前記入力された訃報情報をウェブページで閲覧可能にするアップロード手段（１０）と、前記ウェブページのＵＲＬ、又は前記ウェブページのＵＲＬを二次元コード化したその二次元コード（Ｑ）のうち少なくともいずれか一方を表示する電子書類を作成する電子書類作成手段（１０）と、前記電子書類を前記葬儀社端末（１）に送信する返信手段（１０）と、を備え、前記ウェブページには、前記ＵＲＬを他の端末と共有可能な共有ボタン（Ｋ）が表示されるように構成され、前記電子書類に表示された前記ＵＲＬ又は前記二次元コード（Ｑ）から前記第一携帯端末（２）で前記ウェブページにアクセスされるとともに前記第一携帯端末（２）で表示した前記ウェブページにおいて前記共有ボタン（Ｋ）が押下され、さらに共有先として、配信用のデータベースを作ることなく既に前記第一携帯端末（２）内にあるリストを使用して前記第二携帯端末（３）が選択されることで、前記ウェブページのＵＲＬを前記第二携帯端末（３）と共有可能な共有手段（２，１０）をさらに備えることを特徴とする。